(57)【特許請求の範囲】
【請求項１】
既設のパネル工法の建物における非耐力壁パネルにブレースを取付けて前記非耐力壁パネルを耐力壁パネルとするパネル工法建物のブレース後付け耐力壁化工法であって、
前記非耐力壁パネルは、両側縁の縦フレーム材、およびこれら縦フレーム材の上端間および下端間をそれぞれ繋ぐ上下端の横フレーム材を有するパネルフレームと、このパネルフレームの屋外面および屋内面にそれぞれ張られた外装面材および内装面材と、これら外装面材および内装面材の間に配置された断熱材とを有し、
前記非耐力壁パネルの前記外装面材および前記断熱材を屋外側から撤去する過程と、
前記撤去により露出した前記縦フレーム材の上下端に補強プレートを、前記縦フレーム材に隣接する柱に渡って貫入した固着具により接合する過程と、
両端にガセットプレートを有する後付け用のブレースを前記ガセットプレートで前記縦フレーム材の上下端に取付ける過程と、
前記撤去した断熱材またはこれに代わる新たな断熱材を前記パネルフレームの内側に配置する過程と、
前記撤去した外装面材またはこれに代わる新たな外装面材を前記パネルフレームに取付ける過程とを含むパネル工法建物のブレース後付け耐力壁化工法。
【請求項２】
請求項１に記載のパネル工法建物のブレース後付け耐力壁化工法において、前記柱が、前記建物における軸力負担用の柱であるパネル工法建物のブレース後付け耐力壁化工法。
【請求項３】
既設のパネル工法の建物における非耐力壁パネルにブレースを取付けて前記非耐力壁パネルを耐力壁パネルとしたパネル工法建物のブレース後付け耐力壁化構造であって、
前記耐力壁パネルは、両側縁の縦フレーム材、およびこれら縦フレーム材の上端間および下端間をそれぞれ繋ぐ上下端の横フレーム材を有する既設の前記非耐力壁パネルにおけるパネルフレームと、前記縦フレーム材の上下端に、前記縦フレーム材に隣接する柱に渡って貫入した固着具により接合された補強プレートと、前記縦フレーム材の上下端にガセットプレートで接合された後付け用のブレースと、前記パネルフレームの屋内面に張られた既設の内装面材と、前記パネルフレームの屋外面に張られた外装面材と、これら外装面材と内装面材との間に配置された断熱材とを備え、
前記パネルフレームが鋼材であって、前記外装面材は前記各縦フレーム材および各横フレーム材の屋外面に取付けられた平棒状の縦横の面材下地を介して取付けられ、
前記パネルフレームの四隅に位置して、前記縦横の面材下地に、前記ガセットプレートの全体を露出させる切欠が設けられ、これら各切欠内に、前記ガセットプレートの屋外側に位置して切欠埋めプレートが設けられたパネル工法建物のブレース後付け耐力壁化構造。
【請求項４】
請求項３に記載のパネル工法建物のブレース後付け耐力壁化構造において、前記ブレースは２本がＸ字状に交差して設けられ、これらブレースの交差部の高さ位置で両側の前記縦フレーム材の間に横桟が設けられ、前記２本のブレースの交差部を前記横桟とで挟み込むはらみ止めプレートが前記横桟に取付けられたパネル工法建物のブレース後付け耐力壁化構造。
【請求項５】
請求項４に記載のパネル工法建物のブレース後付け耐力壁化構造において、前記各面材下地に断面形状が溝形の縦横の防水カバーが、前記耐力壁パネルの外周側から内周側に向けて被せられ、前記縦横の面材下地で構成される四隅のうち、上側の２隅では、横側の防水カバーが前記面材下地に被せられ、下側の２隅では、縦側の防水カバーが前記面材下地に被せられるパネル工法建物のブレース後付け耐力壁化構造。
【発明の詳細な説明】
【技術分野】
【０００１】
この発明は、既設のパネル工法建物の非耐力壁パネルを耐力壁パネルに改修するパネル工法建物のブレース後付け耐力壁化工法、およびこの工法で得られるブレース後付け耐力壁化構造に関する。
【背景技術】
【０００２】
従来より、非耐力壁パネルを耐力壁化するに当たり、以下のようなことが行われている。
住宅等のパネル工法建物において耐震補強を行う場合、一般的には既存の非耐力壁パネルを外し、新たな耐力壁パネルを入れ込むというパネル入替え工事を行っている。外側に後からブレースを付ける際には現場溶接が多用されている。また、外壁パネルは、金属製のパネルフレームの四周にポリススチレン等の面材下地を廻し、その上から外装面材を留め付けている。外側に後からブレースを付け、耐力壁化した場合、ブレースのパネルフレームへの取付けのために、ブレース端の部分が突出して段差を生じることがあるが、そのような場合、合板を用いて嵩上げするなどして外壁面を納めている。
【０００３】
この他に、既存建物の非耐力壁を、軸組ごと取り外すことなく、ブレースを追加して補強することも提案されている（例えば、特許文献１）。ブレースの取付けについては、軸柱と軸桟によって形成される各隅部にブレース取付金具をボルト等の固定具で固定し、前記ブレース取付金具にブレースを取付ける。Ｘ字状に配置される２本のブレースの交差部については、既存中桟を切除し、切欠部が形成された新規中桟を配設してその切欠部にブレースを通過させるようにしている。
【先行技術文献】
【特許文献】
【０００４】
【特許文献１】特開２００４−３２４１３３号公報
【発明の概要】
【発明が解決しようとする課題】
【０００５】
上記従来の耐力壁化工法は、次の各課題がある。
・  パネル入れ替え工事に当たっては、既設の非耐力壁パネルを取り外すため、屋内側も壁・床などをめくる必要があり、居住者が住みながら工事を行なうのが難しい。
・  既設の非耐力壁パネルの場合と同様のパネルフレーム（ｔ＝１．６ｍｍ）で新たな耐力壁パネルを構成すると、耐力を負担できない。
・  火災の危険性などの安全面に不安があり、施工品質も施工者の技術に依存する。また、溶接技術の資格者でないと施工できない。
・  後からブレースを付ける場合は、両端にガセットプレートを有するブレースがパネルフレームに取付けられるが、ガセットプレートの厚みと、このガセットプレートをパネルフレームに留めるドリルねじの頭分だけ、外装面材が屋外側に出ることになり、既設の非耐力壁パネルの外装面材との同一平面での納まりが不可能になる。
・  外装面材の屋外側への突出高さを抑える対策として、面材下地におけるパネルフレームの隅部相当箇所に切欠き加工を施し、この切欠きの部分に前記ガセットプレートを収めることも可能であるが、この場合、パネルフレームの隅部に対応する箇所で面材下地は細い面材下地同士の接合となり、そこからの漏水の可能性が高まる。また、その面材下地に留め付ける外装面材の締結も不安定になる。
【０００６】
特許文献１に記載の方法は、既設建物の非耐力壁を、軸組ごと取り外すことなく、ブレースを追加して補強するため、上記の各課題は、幾分か解消される。しかし、特許文献１に記載の方法は、ブレース取付金具を、軸力を負担する軸柱と軸桟との間の隅部に固定しており、このような軸柱や軸桟をパネルフレームとする建物においては適用できても、既存の非耐力壁のパネルフレームが荷重を負担する機能を持たない断面寸法の部材の場合、ブレースの荷重を十分に受けることができない。例えば、パネル工法建物において、パネルフレームとは別に軸柱を設け、軸柱を挟んで両側に外壁パネルを設置する工法があり、その場合、非耐力壁のパネルフレームには建物の軸力の負担が不要なため、断面係数が小さな形鋼が用いられる。特許文献１の方法は、このような非耐力壁パネルを用いた建物には適用できず、適用範囲が限られる。
また、特許文献１の方法は、既設の非耐力壁パネルの中桟を完全に取り払ってしまうので、それだけ手間やコストがかかるという課題が残る。
【０００７】
この発明の目的は、居住者が住みながら改築工事を行なうことができ、かつ既設の非耐力壁パネルのパネルフレームが追加のブレースによる荷重に対する負担に不十分な部材であっても、既設の非耐力壁パネルの多くの部材を残して、ブレースの追加により耐力壁パネルとして成り立たせることができるパネル工法建物のブレース後付け耐力壁化工法および構造を提供することである。
【課題を解決するための手段】
【０００８】
この発明のパネル工法建物のブレース後付け耐力壁化工法は、既設のパネル工法の建物における非耐力壁パネルにブレースを取付けて前記非耐力壁パネルを耐力壁パネルとするパネル工法建物のブレース後付け耐力壁化工法であって、
前記非耐力壁パネルは、両側縁の縦フレーム材、およびこれら縦フレーム材の上端間および下端間をそれぞれ繋ぐ上下端の横フレーム材を有するパネルフレームと、このパネルフレームの屋外面および屋内面にそれぞれ張られた外装面材および内装面材と、これら外装面材および内装面材の間に配置された断熱材とを有し、
前記非耐力壁パネルの前記外装面材および前記断熱材を屋外側から撤去する過程と、
前記撤去により露出した前記縦フレーム材の上下端に補強プレートを、前記縦フレーム材に隣接する柱に渡って貫入した固着具により接合する過程と、
両端にガセットプレートを有する後付け用のブレースを前記ガセットプレートで前記縦フレーム材の上下端に取付ける過程と、
前記撤去した断熱材またはこれに代わる新たな断熱材を前記パネルフレームの内側に配置する過程と、
前記撤去した外装面材またはこれに代わる新たな外装面材を前記パネルフレームに取付ける過程とを含む。
【０００９】
この工法によると、非耐力壁パネルのパネルフレームおよび内装面材は残し、外装面材を撤去して後付け用のブレースを取付ける。そのため、居住者が住みながら改築工事を行なうことができ、かつ既設の非耐力壁パネルの多くの部材を残すことができる。また、パネルフレームの縦フレーム材の上下端に、この縦フレーム材の上下端を補強する補強プレートを設けるが、この補強プレートは、前記縦フレーム材に隣接する柱に渡って貫入した固着具により接合する。そのため、縦フレーム材の端部に作用する後付け用のブレースの荷重は、前記縦フレーム材だけでなく、前記縦フレーム材に隣接する柱によっても負担される。このため、既設の非耐力壁パネルのパネルフレームが後付け用のブレースによる荷重に対する負担に不十分な部材であっても、前記補強プレートを設けただけの簡単な構成で、前記ブレースの追加により耐力壁パネルとして成り立たせることができる。
【００１０】
この発明工法において、前記柱が前記建物における軸力負担用の柱であっても良い。
パネル工法建物において、壁パネルの縦フレーム材とは別に軸力負担用の柱を設け、その両側に壁パネルを設置する工法と、壁パネルの縦フレーム材を軸力負担用の柱とする場合とがある。壁パネルの縦フレーム材とは別に軸力負担用の柱を設ける工法の場合、壁パネルの縦フレーム材に肉厚が薄く軽量な鋼材を用いることができる反面、耐力壁パネル仕様に改築しようとした場合、縦フレーム材にブレースを取付けても、ブレースに作用する荷重を十分に負担して梁等に伝えることが難しい。そのため、上記のように隣接する柱に渡って取付けられる補強プレートを設けてブレースの荷重を隣接する柱に負担させる構成による機能が、より一層効果的に発揮させる。
【００１１】
この発明のパネル工法建物のブレース後付け耐力壁化構造は、既設のパネル工法の建物における非耐力壁パネルにブレースを取付けて前記非耐力壁パネルを耐力壁パネルとしたパネル工法建物のブレース後付け耐力壁化構造であって、
前記耐力壁パネルは、両側縁の縦フレーム材、およびこれら縦フレーム材の上端間および下端間をそれぞれ繋ぐ上下端の横フレーム材を有する既設の前記非耐力壁パネルにおけるパネルフレームと、前記縦フレーム材の上下端に、前記縦フレーム材に隣接する柱に渡って貫入した固着具により接合された補強プレートと、前記縦フレーム材の上下端にガセットプレートで接合された後付け用のブレースと、前記パネルフレームの屋内面に張られた既設の内装面材と、前記パネルフレームの屋外面に張られた外装面材と、前記外装面材
と内装面材との間に配置された断熱材とを備える。
また、前記パネルフレームが鋼材であって、前記外装面材は前記各縦フレーム材および各横フレーム材の屋外面に取付けられた棒状の縦横の面材下地を介して取付けられ、
前記パネルフレームの四隅に位置して、前記縦横の面材下地に、前記ガセットプレートの全体を露出させる切欠が設けられ、これら各切欠内に、前記ガセットプレートの屋外側に位置して切欠埋めプレートが設けられている。
【００１２】
この構成のパネル工法建物のブレース後付け耐力壁化構造によると、この発明のブレース後付け耐力壁化工法につき説明したと同様に、居住者が住みながら改築工事を行なうことができ、かつ既設の非耐力壁パネルのパネルフレームがブレースによる荷重に対する負担に不十分な部材であっても、既設の非耐力壁パネルの多くの部材を残して、ブレースの追加により耐力壁パネルとして成り立たせることができる。
また、ブレース端のガセットプレートを前記面材下地の前記切欠内に納めるため、ガセットプレートやその取付用のボルト頭等の厚さで外装面材の出入り高さが高くなることが回避され、隣合う壁パネルの外装面材の出入り高さと合わすことができて、意匠性が損なわれない。
【００１３】
この発明のブレース後付け耐力壁化構造において、前記ブレースは２本がＸ字状に交差して設けられ、これらブレースの交差部の高さ位置で両側の前記縦フレーム材の間に横桟が設けられ、前記２本のブレースの交差部を前記横桟とで挟み込むはらみ止めプレートが前記横桟に取付けられたものであっても良い。
この構成の場合、２本のブレースの交差部を横桟とはらみ止めプレートとで挟み込むので、ブレースが壁パネルの面外方向に撓むことを、前記横桟によって効果的に防止でき、ブレースのはらみにより外装面材が押されてはらむことが防止される。このため、前記ブレースに平鋼等の撓み易い薄い軸材を用いることができ、後付け用のブレースの設置空間の確保のために外装面材を元の非耐力壁パネルよりも屋外側へ位置させる必要性が低くなる。これにより外装面材の出入り位置を他の外壁パネルと揃えることができ、意匠性を損なわずに施工できる。また、既設の非耐力壁パネルが中間に縦桟を有する場合に、前記のような薄いブレースを用いることで、後付け用のブレースの設置空間の確保のために前記中間の縦桟を、切欠等を有する縦桟と取り替える等の作業も不要となる。
【００１５】
上記のように面材下地に設ける場合に、前記面材下地に断面形状が溝形の縦横の防水カバーが、前記耐力壁パネルの外周側から内周側に向けて被せられ、前記縦横の面材下地で構成される四隅のうち、上側の２隅では、横側の防水カバーが前記面材下地に被せられ、下側の２隅では、縦側の防水カバーが前記面材下地に被せられるものであっても良い。
このように、縦横の面材下地の四隅に防水カバーを被せることにより、これらの箇所の防水が図られる。この場合に、上側の２隅では、横側の防水カバーが面材下地に被せられて横勝ちの配置となるため、その防水カバーを伝わる雨水が壁パネル内に進入することが効果的に防止される。また、下側の２隅では、縦側の防水カバーが前記面材下地に被せられ、縦勝ちとなるため、その防水カバーを伝わる雨水が壁パネル内部に進入せず、下方へ流れ落ちる。
【発明の効果】
【００１６】
この発明のパネル工法建物のブレース後付け耐力壁化工法は、既設のパネル工法の建物における非耐力壁パネルにブレースを取付けて前記非耐力壁パネルを耐力壁パネルとするパネル工法建物のブレース後付け耐力壁化工法であって、前記非耐力壁パネルは、両側縁の縦フレーム材、およびこれら縦フレーム材の上端間および下端間をそれぞれ繋ぐ上下端の横フレーム材を有するパネルフレームと、このパネルフレームの屋外面および屋内面にそれぞれ張られた外装面材および内装面材と、これら外装面材および内装面材の間に配置された断熱材とを有し、前記非耐力壁パネルの前記外装面材および前記断熱材を屋外側から撤去する過程と、前記撤去により露出した前記縦フレーム材の上下端に補強プレートを、前記縦フレーム材に隣接する柱に渡って貫入した固着具により接合する過程と、両端にガセットプレートを有する後付け用のブレースを前記ガセットプレートで前記縦フレーム材の上下端に取付ける過程と、前記撤去した断熱材またはこれに代わる新たな断熱材を前記パネルフレームの内側に配置する過程と、前記撤去した外装面材またはこれに代わる新たな外装面材を前記パネルフレームに取付ける過程とを含むため、居住者が住みながら改築工事を行なうことができ、かつ既設の非耐力壁パネルのパネルフレームがブレースによる荷重に対する負担に不十分な部材であっても、既設の非耐力壁パネルの多くの部材を残して、ブレースの追加により耐力壁パネルとして成り立たせることができる。
【００１７】
この発明のパネル工法建物のブレース後付け耐力壁化構造は、既設のパネル工法の建物における非耐力壁パネルにブレースを取付けて前記非耐力壁パネルを耐力壁パネルとしたパネル工法建物のブレース後付け耐力壁化構造であって、前記耐力壁パネルは、両側縁の縦フレーム材、およびこれら縦フレーム材の上端間および下端間をそれぞれ繋ぐ上下端の横フレーム材を有する既設の前記非耐力壁パネルにおけるパネルフレームと、前記縦フレーム材の上下端に、前記縦フレーム材に隣接する柱に渡って貫入した固着具により接合された補強プレートと、前記縦フレーム材の上下端にガセットプレートで接合された後付け用のブレースと、前記パネルフレームの屋内面に張られた既設の内装面材と、前記パネルフレームの屋外面に張られた外装面材と、前記外装面材と内装面材との間に配置された断熱材とを備えるため、この発明方法と同様に、居住者が住みながら改築工事を行なうことができ、かつ既設の非耐力壁パネルのパネルフレームがブレースによる荷重に対する負担に不十分な部材であっても、既設の非耐力壁パネルの多くの部材を残して、ブレースの追加により耐力壁パネルとして成り立たせることができる。
【図面の簡単な説明】
【００１８】
【図１】この発明の一実施形態に係るパネル工法建物のブレース後付け耐力壁化工法を適用する既設の非耐力壁と、同工法を適用して改築した耐力壁パネルとを比較して示す部分破断正面図である。
【図２】同既設の非耐力壁パネルと改築後の耐力壁パネルとを比較して示す水平断面図である。
【図３】同ブレース後付け耐力壁化工法の前半の工程を水平断面図で示す説明図である。
【図４】同ブレース後付け耐力壁化工法の後半の工程を水平断面図で示す説明図である。
【図５】同ブレース後付け耐力壁化工法における補強プレートを縦フレーム材の上下端に接合する過程を示す説明図である。
【図６】同ブレース後付け耐力壁化工法における後付け用のブレースを縦フレーム材の上下端に取付ける過程を示す説明図である。
【図７】（Ａ）は同過程で縦フレーム材の上端に取付けたブレースの端部を示す水平断面図、（Ｂ）は同正面図である。
【図８】同ブレース後付け耐力壁化工法におけるはらみ止めプレートを横桟に取付ける過程を示す説明図である。
【図９】同ブレース後付け耐力壁化工法における後付け用のブレースの取付け以降の過程で取付けられる各部材を示す正面図である。
【図１０】同ブレース後付け耐力壁化工法における面材下地を横フレーム材および縦フレーム材に取付ける過程を示す説明図である。
【図１１】同ブレース後付け耐力壁化工法において取付けられる切欠埋めプレートおよび防水カバーの分解斜視図である。
【図１２】同ブレース後付け耐力壁化工法における切欠埋めプレートを設ける過程を示す説明図である。
【図１３】同ブレース後付け耐力壁化工法における防水カバーを設ける過程を示す説明図である。
【図１４】同ブレース後付け耐力壁化工法における面材下地を縦桟に取付ける過程を示す説明図である。
【図１５】同ブレース後付け耐力壁化工法による耐力壁パネルを示す部分縦断面図である。
【図１６】同ブレース後付け耐力壁化工法を２Ｐタイプの被耐力壁パネルに適用した場合の途中の過程を示す説明図である。
【発明を実施するための形態】
【００１９】
この発明の一実施形態を図１ないし図１５と共に説明する。このパネル工法建物のブレース後付け耐力壁化工法は、既設のパネル工法の建物における図１（Ａ）に示す非耐力壁パネル１に、耐震補強等のために、同図（Ｂ）に示すようにブレース１５を後付けして前記非耐力壁パネル１を耐力壁パネル２１とする工法である。前記建物は、戸建住宅や集合住宅、またはその他の用途の建物である。前記非耐力壁パネル１は外壁パネルである。
【００２０】
図１（Ａ）のように、既設の非耐力壁パネル１は、両側縁の縦フレーム材３，３、およびこれら縦フレーム材３の上端間および下端間をそれぞれ繋ぐ上下端の横フレーム材４，４を有するパネルフレーム２と、このパネルフレーム２の屋外面および屋内面にそれぞれ張られた外装面材５および内装面材６と、これら外装面材５および内装面材６の間に配置された断熱材１２等のパネル内部配置物を有する。ここでは、前記縦フレーム材３および横フレーム材４は、軽量溝形鋼等の形鋼からなり、パネル内向きに開口するように設けられているが、他の断面形状の鋼材であっても良い。前記縦フレーム材３および横フレーム材４は、厚さが例えば１．６mmと薄い形鋼とされる。縦フレーム材３と横フレーム材４との接合は、例えばいずれか一方のフレーム材３，４の端部を絞って他方のフレーム材３，４内に嵌合させ、両フレーム材３，４の嵌合部を工場溶接等で溶接した構成とされている。パネルフレーム２の幅方向の中央には、補強用の木製のフレーム材である縦桟９が、上下端の横フレーム材４，４間に渡って設けられている。また、パネルフレーム２の上下方向の中央には、補強用の木製のフレーム材である横桟１０が、両側縁の縦フレーム材３，３間に渡って設けられている。
【００２１】
この実施形態の非耐力壁パネル１は、軸力負担用の柱３３とは別に設けられる構成であり、隣合う柱３３，３３間に配置される。したがって、柱３３の両側に沿って前記非耐力壁パネル１または耐力壁パネル（図示せず）の縦フレーム材３が配置される。柱３３の下端は、基礎３５上に設置された鋼製の土台３２上に設置され、上端はＨ形鋼製等の鋼製の梁３４に接合されている。このように軸力負担用の柱３３が非耐力壁パネル１とは別に設けられるため、非耐力壁パネル１の各フレーム材３，４は軸力の負担が不要であり、上記のように比較的に薄い板厚の形鋼が用いられる。
前記柱３３は、例えば断面が正方形状のリップ溝形の形鋼からなり、屋内側に開口して建てられる。柱３３と前記非耐力壁パネル１の縦フレーム材３とは、上下方向の複数箇所で互いにボルト（図示せず）等により接合される。前記非耐力壁パネル１は、前記土台３２および梁３４に対しては、例えば前記両側縁の縦フレーム材３の位置、および縦桟９のあるパネル幅方向の位置で、ボルト等により接合されている（図１５参照）。
【００２２】
図２（Ａ）に水平断面で示すように、パネルフレーム２の屋外面の四周には、前記縦フレーム材３および横フレーム材４に沿って面材下地１１が取付けられ、この面材下地１１に外壁面を構成する前記外装面材５が取付けられている。面材下地１１は、材質は特に限定されないが、発泡ポリスチレン等の発泡樹脂製、木製または合板の平棒状の部材である。外装面材５は、セラミックス材等からなる。パネルフレーム２の屋内面には、両側縁の縦フレーム材３，３に沿う側部仕切桟７、および縦桟９に沿う中間仕切桟８が設けられ、これら側部仕切桟７および中間仕切桟８に前記内装面材６が取付けられている。側部仕切桟７および中間仕切桟８は例えば木製であり、内装面材６は例えば石膏ボードや合板等からなる。側部仕切桟７、中間仕切桟８、および内装面材は、例えば互いに組まれた内装パネルとされ、この内装パネルの状態で前記パネルフレーム２に取付けられる。前記断熱材１２はグラスウール等からなり、パネルフレーム２の内部に充填されている。
【００２３】
次に、このブレース後付け耐力壁化工法の施工手順を説明する。図３および図４は、水平断面図で各工程を図示の順に示す。図３はこの工法の前半の各過程を示し、図４はこの工法の後半の各過程を示す。また、図５〜図１４は、主に正面図で各工程を順に示す。
図３（Ａ）は、非非耐力壁パネル１の既設の状態であり、図２（Ａ）を簡略化して示す。この既設状態から、まず、図３（Ａ）に示すように、外装材５と断熱材１２等のパネル内部配置物を屋外側から撤去する。この場合に撤去するパネル内部配置物は、前記面材下地１１、断熱材１２などであり、縦桟９や横桟１０は撤去しない。この撤去の状態を、図５（Ａ）に正面図で示す。
【００２４】
図３（Ｃ）に示す過程では、前記撤去により露出した縦フレーム材３の上下端（図５（Ａ）にＡ，Ｂ，Ｃ，Ｄで示す各部）に補強プレート１３を重ね、この補強プレート１３を、縦フレーム材３に隣接する柱３３に渡って貫入した固着具１４により接合する。具体的には、溝形鋼からなる縦フレーム材３の前記柱３３の側面に接するウェブ部の内側面に補強プレート１３を配置し、補強プレート１３の表面側つまりパネルフレーム２の内周側から柱３３に渡って貫入した固着具１４により補強プレート１３を接合する。補強プレート１３は鋼板であり、縦フレーム材３の内側面の略全幅に渡る。固着具１４としては、例えばドリル付きタッピングねじが用いられ、縦横の複数箇所に用いられる。図５（Ｂ）には縦フレーム材３の上端に接合した補強プレート１３を、図５（Ｃ）には縦フレーム材３の下端に接合した補強プレート１３をそれぞれパネルフレーム２の内周側から見た側面図で示す。
【００２５】
図３（Ｄ）に示す過程では、両端にガセットプレート１６を有する後付け用のブレース１５を、前記ガセットプレート１６で縦フレーム材３の上下端に屋外側から取付ける。この取付け状態を図６（Ａ）に正面図で示す。この取付けには、図７（Ａ），（Ｂ）に水平断面図および正面図で示すようにドリル付きタッピングねじなどの複数本の固着具１７を用いる。ガセットプレート１６は、直交する２辺が縦フレーム材３および横フレーム材４に重なるように配置し、前記固着具１７で縦フレーム材３と横フレーム材４の両方に固定する。固着具１７は、孔間の破断が問題とならない範囲で、できるだけ小ピッチで多数設けられることが好ましい。このようにドリル付きタッピングねじなどの複数本の固着具１７を用いることで、無溶接で接合できる。
ブレース１５は、図６（Ａ），（Ｂ）に示すように、上下端の方形のガセットプレート１６に対して互いに反対方向に傾斜した２本がＸ字状に交差するように設けられる。この場合、図３（Ｂ）の過程で撤去しなかった既設の横桟１０の屋外面に、２本のブレース１５の交差部を配置する。ブレース１５は、この例では平鋼等の棒材とし、かつ断面の幅狭方向をパネル厚方向とすることで、前記既設の横桟１０と外装面材５との間の隙間に配置可能としている。
【００２６】
なお、上記２本のガセットプレート１６付きのブレース１５は、いずれも点対称形状であり、２本のブレース１５は、互いに同じ形状のものを、傾斜方向を逆向きとして用いている。また、前記ガセットプレート１６は、その縦横比がパネルフレーム２の縦横比と同等の方形状とされ、ブレース１５はこのガセットプレート１６の屋内面側に溶接により接合されている。また、縦フレーム材３の上下端に設けられる前記各補強プレート１３は、前記ブレース１５の延長線が含まれる範囲内に位置させる。このように位置させることで、ブレース１５からの力を補強プレート１３で補強された縦フレーム材３の上下端から軸力負担用の柱３３に効果的に伝達できる。
【００２７】
図４（Ａ）に示す過程では、左右の縦フレーム材３，３の間に設けられた既設の横桟１０の屋外面にはらみ止めプレート１８を取付け、このはらみ止めプレート１８と前記横桟１０とで図８（Ｂ）のように２本のブレース１５の交差部を挟み込む。この取付け状態を図８（Ａ）に正面図で示す。この取付けには、図８（Ｂ）に示すようにドリル付きタッピングねじなどの固着具１９を用いる。固着具１９によるはらみ止めプレート１８の取付け位置は、ブレース１５の交差部から左右に離れた位置とする。
【００２８】
図４（Ｂ）に示す過程では、図９に示す棒状の縦横の面材下地２１、２２をパネルフレーム２の縦フレーム材３および横フレーム材４の屋外面に接合する。接合状態を図１０（Ａ）に正面図で示し、その左上隅部の拡大図を図１０（Ｂ）に、左下隅部の拡大図を図１０（Ｃ）にそれぞれ示す。面材下地２１，２２は合板に比べて防水性能上優れた材質、例えばポリスチレンなどの樹脂材からなり、釘などの固着具（図示せず）を用いて縦フレーム材３および横フレーム材４の屋外面に接合する。縦フレーム材３に接合する面材下地２１の上下端にはパネルフレーム２の内側に向けて開く方形の切欠２１ａを有し、また横フレーム材４に接合する面材下地２２の左右両端にもパネルフレーム２の内側に向けて開く方形の切欠２２ａを有する。これらの切欠２１ａ，２２ａはパネルフレーム２の四隅に位置して、ガセットプレート１６の全体を露出させる。なお、上位置の横フレーム材４に沿う横長の面材下地２２の両端は、エプトシーラー（登録商標）等の厚手のテープ材等からなるシーリング材２４を介して縦長の面材下地２１の内向きの側面に当接させ、これにより両面材下地２１，２２の当接箇所での防水を図っている。下位置の横フレーム材４に沿う横長の面材下地２２の両端も縦長の面材下地２１の内向きの側面に当接させ、雨水の浸入が万一生じても下方に流れ出るようにしている。
【００２９】
図４（Ｃ）に示す過程では、図９に示す方形の切欠埋めプレート２３を、図１１（Ａ），（Ｂ）に示すように前記面材下地２１、２２の切欠２１ａ，２２ａに配置してガセットプレート１６の屋外面に取付ける。その取付状態を図１２に正面図で示す。切欠埋めプレート２３はポリスチレンなどの樹脂材または合板からなり、両面接着テープを用いてガセットプレート１６に取付ける。このとき、切欠埋めプレート２３の重なり位置は、ガセットプレート１６を縦フレーム材３に取付ける固着具１７の頭部が並ぶ位置から避けた位置とする。切欠埋めプレート２３の厚さは、ガセットプレート１６の厚さとの合計が面材下地２１，２２厚さに一致するように設定して、切欠埋めプレート２３の表面と面材下地２１，２２の表面が同一平面となるように揃える。
【００３０】
切欠埋めプレート２３の接合に続いて、図９に示す横長および縦長の防水カバー２５、２６を、縦横の面材下地２１，２２で構成される四隅、つまり縦横の面材下地２１，２２の接合箇所に耐力壁パネル３１の外周側から内周側に向けて被せる。その被せた状態を図１３に正面図で示す。防水カバー２５，２６は、図１１（Ａ），（Ｂ）に示すように断面形状が溝形で、前記面材下地２１，２２の接合箇所の納まりに影響しない薄い板厚の鋼板からなる。縦横の面材下地２１，２２で構成される四隅のうち、上側の２隅では、横側の防水カバー２５を面材下地２１，２２に被せ、下側の２隅では、縦側の防水カバー２６を面材下地２１に被せる。被せた防水カバー２５，２６はブチルテープ２７等の接着テープで面材下地２１，２２に固定する。このように、縦横の面材下地２１, ２２の四隅に防水カバー２５，２６を被せることにより、これらの箇所の防水が図られると共に、面材下地２１，２２の撓み防止が図られる。
【００３１】
前記防水カバー２５，２６の被せ処理に続いて、図９に示す縦桟用の棒状の面材下地３７を、図１４に正面図で示すようにブレース１５の交差部を避けて、既設の縦桟９の屋外面に取付ける。縦桟用の面材下地３７もポリスチレンなどの樹脂材からなり、釘等の固着具（図示せず）を用いて縦桟９に取付ける。縦桟用の面材下地３７の厚さは、その表面が他の面材下地２１，２２の表面と同一平面となるように設定される。
【００３２】
このあと、図３（Ｂ）の過程で撤去したパネル内部配置物、ここでは断熱材１２をパネルフレーム２の内側に配置する。この場合のパネル内部配置物は、撤去したものに限らず、これに代わる新たなパネル内部配置物であってもかまわない。
【００３３】
図４（Ｄ）に示す過程では、図３（Ｂ）の過程で撤去した外装面材５を、前記各面材下地２１，２２，３７および切欠埋めプレート２３を介して取付ける。外装面材５は撤去したものに限らず、これに代わる新たな外装面材であっても良い。このようにして取付けた外装面材５と、これに隣り合う撤去されない外装面材５との間の隙間にはガスケット２８を埋め込む。図１５（Ａ），（Ｂ）には、このような工法を経て得られた耐力壁パネル３１の下半部および上半部の縦断面図を示す。
【００３４】
上記のように、この工法によると、非耐力壁パネル１のパネルフレーム２および内装面材６は残し、外装面材５を撤去して後付け用のブレース１５を取付ける。そのため、居住者が住みながら改築工事を行なうことができ、また既設の非耐力壁パネル１の多くの部材を残すことができる。また、パネルフレーム２の縦フレーム材３の上下端に、この縦フレーム材の上下端を補強する補強プレート１３（図５（Ａ），（Ｂ））を設けるが、この補強プレート１３は、前記縦フレーム材３に隣接する柱３３に渡って貫入した固着具１４により接合する。そのため、縦フレーム材３の端部に作用する後付け用のブレース１５（図１（Ｂ））の荷重は、前記縦フレーム材３だけでなく、前記隣接する柱３３によっても負担される。このため、既設の非耐力壁パネル１のパネルフレーム２が後付け用のブレース１５による荷重に対する負担に不十分な部材であっても、前記補強プレート１３を設けただけの簡単な構成で、前記ブレース１５の追加により耐力壁パネル３１として成り立たせることができる。
【００３５】
なお、この実施形態では、前記非耐力壁パネル１は、パネルフレーム２の縦フレーム材３が、既設の軸力負担用の柱３３に沿って設置されている場合を示したが、これに限らず、非耐力壁パネル１とは別の柱がなく、非耐力壁パネル１の縦フレーム材３が軸力負担用の柱となるパネル工法建物においても、この実施形態のパネル工法建物のブレース後付け耐力壁化工法を適用できる。その場合、隣の壁パネルの縦フレーム材が前記補強プレートを止める柱となる。この形式の建物の場合も、上記と同様の効果をあげることができる。
【００３６】
また、この実施形態では、２本のブレース１５がＸ字状に交差して設けられ、これらブレース１５の交差部の高さ位置で両側の縦フレーム材３，３の間に横桟１０が設けられ、前記２本のブレース１５の交差部を前記横桟１０とで挟み込むはらみ止めプレート１８が横桟１０に取付けられている。そのため、ブレース１５が屋外側にはらんで外装面材５が屋外側へはらむことを効果的に防止できる。
【００３７】
また、この実施形態では、パネルフレーム２が鋼材であるため、外装面材５は各縦フレーム材３および各横フレーム材４の屋外面に配置された棒状の縦横の面材下地２１，２２を介して取付けられているが、パネルフレーム２の四隅に位置して、前記縦横の面材下地２１，２２に、ガセットプレート１６の全体を露出させる切欠２１ａ，２２ａが設けられている。これら各切欠２１ａ，２２ａ内に、ガセットプレート１６の屋外側に位置して切欠埋めプレート２３が設けられ、その表面を面材下地２１，２２と同一平面としている。そのため、ガセットプレート１６やその取付用のボルト頭等の厚さで外装面材５の出入り高さが高くなることが回避され、隣合う壁パネルの外装面材の出入り高さと合わすことができて、意匠性が損なわれない。
【００３８】
また、この実施形態では、縦横の面材下地２１，２２に断面形状が溝形の縦横の防水カバー２５，２６が、耐力壁パネル３１の外周側から内周側に向けて被せられている。縦横の面材下地２１，２２で構成される四隅のうち、上側の２隅では、横側の防水カバー２５が面材下地２１，２２に被せられ、下側の２隅では、縦側の防水カバー２６が面材下地２１に被せられる。このため、これらの箇所の防水が図られると共に、面材下地２１，２２の撓みを防止できる。
【００３９】
なお、上記実施形態では、パネル幅が１Ｐタイプ（Ｐはモジュールであり、１Ｐ：８００〜１０００mmの範囲で定められる）の非耐力壁パネル１を耐力壁パネル３１とする場合を例示したが、このブレース後付け耐力壁化工法は、図１６に示すようにパネル幅が２Ｐタイプ（モジュール９１０×２）の非耐力壁パネルにも適用できる。同図は、その既設の非耐力壁パネルから、外装面材および断熱材を撤去したあと、補強プレート１３（図５（Ｂ））および後付け用のブレース１５を取付けた途中の状態を正面図で示している。その他の過程は、先の実施形態の場合と略同様である。また、面材下地２１，２２，３７は、本実施形態ではポリスチレンとされているが、本発明はこれに限られるものではなく、木製や合板等であっても良い。
【符号の説明】
【００４０】
１…非耐力壁パネル
２…パネルフレーム
３…縦フレーム材
４…横フレーム材
５…外装面材
１０…横桟
１３…補強プレート
１４…固着具
１５…ブレース
１６…ガセットプレート
１８…はらみ止めプレート
２１，２２…面材下地
２１ａ，２２ａ…切欠
２３…切欠埋めプレート
２５，２６…防水カバー
３１…耐力壁パネル
３３…柱
【図１】
0006559445.tif 000002
【図２】
0006559445.tif 000003
【図３】
0006559445.tif 000004
【図４】
0006559445.tif 000005
【図５】
0006559445.tif 000006
【図６】
0006559445.tif 000007
【図７】
0006559445.tif 000008
【図８】
0006559445.tif 000009
【図９】
0006559445.tif 000010
【図１０】
0006559445.tif 000011
【図１１】
0006559445.tif 000012
【図１２】
0006559445.tif 000013
【図１３】
0006559445.tif 000014
【図１４】
0006559445.tif 000015
【図１５】
0006559445.tif 000016
【図１６】
0006559445.tif 000017